(57)【要約】【課題】本発明は、電子レンジ加熱が可能なようにレトルト食品等の調理済み食品を密封充填した蒸気抜き包装袋の外包装に適用される蒸気抜き包装袋用外装箱に関する。【解決手段】  包装袋を加熱して発生する水蒸気等の気体による内圧により剥離開口する蒸気孔が設けられている蒸気抜き包装袋の蒸気孔を上面に偏平状に寝かせた姿勢で外装箱に収納し、蒸気抜き包装袋の収納物を加熱調理する際に、蒸気抜き包装袋を外装箱に収納したまま加熱調理する蒸気抜き包装袋用外装箱であって、前記正面板に対向する摘み部を切れ目線により備え、該摘み部の切れ目線と連設する複数の切り込みによるジッパーまたは切れ目線により切り裂け部を備え、蒸気抜き包装袋用外装箱に収納した蒸気抜き包装袋の収納物を加熱調理する際に、蒸気抜き包装袋の膨脹によって、蒸気抜き包装袋の蒸気孔が露出することなく切り裂け部が切り裂かれることを特徴とし蒸気抜き包装袋用外装箱である。【選択図】図１
2008030766.tif 000002
【特許請求の範囲】
【請求項１】
包装袋を加熱して発生する水蒸気等の気体による内圧により剥離開口する蒸気孔が設けられている蒸気抜き包装袋の蒸気孔を上面に偏平状に寝かせた姿勢で外装箱に収納し、蒸気抜き包装袋の収納物を加熱調理する際に、蒸気抜き包装袋を外装箱に収納したまま加熱調理する蒸気抜き包装袋用外装箱であって、
前記正面板に対向する摘み部を切れ目線により備え、該摘み部の切れ目線と連設する複数の切り込みによるジッパーまたは切れ目線により切り裂け部を備え、
前記蒸気抜き包装袋用外装箱に収納されている蒸気抜き包装袋の収納物を加熱調理する際に、正面板に形成されている摘み部および切り込みによるジッパーまたは切れ目線により切り裂け部の摘み部周縁を適宜開封し、蒸気抜き包装袋の膨脹によって、蒸気抜き包装袋の蒸気孔が露出することなく切り裂け部が切り裂かれることを特徴とした蒸気抜き包装袋用外装箱。
【請求項２】
前記正面板に形成されている摘み部の外側方向先端辺に折り曲げ線（罫線）が設けられていることを特徴とした請求項１記載の蒸気抜き包装袋用外装箱。
【発明の詳細な説明】
【技術分野】
【０００１】
本発明は、電子レンジ加熱が可能なようにレトルト食品等の調理済み食品を密封充填した蒸気抜き包装袋の外包装に適用される蒸気抜き包装袋用外装箱に関する。詳しくは、包装袋を電子レンジ加熱して発生する水蒸気等の気体による内圧により剥離開口する蒸気孔が設けられている蒸気抜き包装袋を加熱調理した際に、蒸気抜き包装袋に充填されている収納物が電子レンジ内に飛散することのない蒸気抜き包装袋用外装箱に関する。
【背景技術】
【０００２】
従来、多くの食品等が合成樹脂等の積層フィルムからなる包装袋に充填され気密、液密に封入されて密封包装食品として流通している。
【０００３】
前記密封包装食品は、密封包装された状態で加熱調理してから出荷されるものがある。また、密封包装食品が製造され、保管、流通し、食べられるまでの間に、混入していることがある菌により腐敗、変質、変色、味変わり等することを防止するために密封包装食品の状態で加熱殺菌あるいは加熱加圧殺菌等を施してから出荷されることもある。
【０００４】
このように、密封包装食品は出荷前に加熱または、加熱殺菌あるいは加熱加圧殺菌等を施すことが多い。そして、一般消費者がこれを食する際には、そのような密封包装食品であっても、電子レンジ等で加熱することが多い。
【０００５】
前記電子レンジは、高周波（極超短波）の照射によって食品に含まれる水分子等を振動させ、この水分子の振動によって生じる摩擦熱で食品を加熱するものである。
【０００６】
この電子レンジによる高周波加熱に伴って水蒸気が発生するが、この水蒸気によって、プラスチックフィルムで形成された通常の密封袋は、膨脹し、破裂してしまう。
【０００７】
このため、加熱時の内部蒸気圧の上昇により密封包装食品の包装袋が破裂することを避けるために、包装袋を開封して収納物を別の容器に入れ、その容器に入れた状態で加熱することがある。
【０００８】
また、外箱に収納された包装袋を開封した状態で、収納された外箱を用いて該包装袋ごと、収納物が零れないように該開封口を上に向けて加熱する食品包装体のマイクロ波加熱方法（例えば、特許文献１参照。）が知られている。
【０００９】
この、食品包装体のマイクロ波加熱方法は、図１５に示すように耐熱性収納袋体１０３を収納した包装箱１００に、この包装箱１００の構成部材から自立手段１０１を設ける。前記包装箱から自立手段１０１を分離させ、この自立手段１０１に包装箱を取り付ける。そして立った包装箱１００に耐熱性収納収納袋体１０３を入れて自立させて、これにマイクロ波照射して加熱する。
【００１０】
また、最近、食品加工技術および包装技術の発達や電子レンジの普及等によって、加熱にあたり、わざわざ包装袋を開封しなくてもよい、電子レンジ加熱が可能な調理済み食品入り包装袋も提案され、実用化されている。
【００１１】
前記電子レンジ加熱が可能な調理済み食品入り包装袋は内部蒸気圧が所定圧力以上に上昇すると該蒸気圧により開口する蒸気逃がし部が設けられている。そして、開封せずに加熱できる。
【００１２】
前記電子レンジ加熱が可能な調理済み食品入り包装袋は内部蒸気圧が所定圧力以上に上昇すると該蒸気圧により開口する蒸気逃がし部が設けられている。
【００１３】
例えば、電子レンジの高周波加熱によって袋内部に生じる水蒸気を袋外部へ排出するために、パウチ本体の一部を加熱時に開封するか、パウチ本体に逃孔が設けられている。
【００１４】
また、水蒸気調節穴を開けてこの水蒸気調節穴を粘着シールでシールし、加熱前にシールを剥がすようにするか、または加熱によってパウチ本体内の蒸気圧が高まると容易にシール部が開くようにするか、弁が開くようにするか等が行なわれている。
【００１５】
一方、前記調理済み食品入り包装袋は、保管、運搬、展示等に都合のよいように、また、流通段階での装飾、食品の説明、食仕方等を消費者に記載表示するために、紙等製の包装箱で包装されることが多い。
【００１６】
前記包装箱は調理済み食品入り包装袋が偏平形状を呈しているものが多い。そして、一般的には、偏平状の直方体形状のものが多く見られる。
【００１７】
さらに、電子レンジ加熱が可能な調理済み食品入り包装袋が収納されている紙等製の包装箱から該包装袋を取り出すことなく電子レンジ加熱する電子レンジ加熱包装体（例えば、特許文献２参照。）および密封包装食品の包装体および包装箱で包装された密封包装食品（例えば、特許文献３参照。）も知られている。
【００１８】
前記電子レンジ加熱包装体は図１６に示すように調理済み食品を密封充填した包装袋１１２の外包装に適用される外装用箱１１３を備えた電子レンジ加熱包装体２００である。そして、加熱した際に、包装袋１１２の内圧を逃がす逃圧用部が背貼る部に形成されている。
【００１９】
そして、電子レンジ加熱包装体２００を加熱する際に、外装用箱１１３から背貼る部を露出させてための切離開封部１１４が形成されている。
【００２０】
また、密封包装食品の包装箱体および包装箱で包装された密封包装食品の包装箱体３００は図１７に示すように蒸気逃がし部が設けられている包装袋１２１に食品が密封包装され、包装箱体１２２に収納されている。そして、電子レンジで加熱する際に、蒸気逃がし部を露出するため図１８に示すように天壁１１５の前壁１１６よりの部分を開口する。
【００２１】
このように箱体ごと加熱すると電子レンジからの取り出し時に火傷の恐れが少なくなると指摘されている。
【００２２】
以下に先行技術文献を示す。
【特許文献１】特開平４−２１４１２６号公報
【特許文献２】特開２００１―０３９４７６号公報
【特許文献３】特開２００２−１９７７６号公報
【発明の開示】
【発明が解決しようとする課題】
【００２３】
しかしながら、上述した包装袋の多くは全体形状が偏平状である。このため、特許文献
１のように包装袋を立てた姿勢に保持して電子レンジで加熱するときには、多くの家庭で使用さている電子レンジでは、包装袋へのマイクロ波の照射効率が低下する。そして、加熱に時間がかかるという問題がある。
【００２４】
また、包装袋を立ち姿勢に保持し得る箱体は、運搬、保管、展示等においては偏平状のものが殆どである。そして、包装袋を立ち姿勢に保持すべく変形させるための構造が複雑となり、且つ、手間がかかるという問題がある。
【００２５】
また、包装袋を開封して他の容器に移し替えて電子レンジで加熱する場合には、容器等を準備するなど手間がかかる。そして、電子レンジから容器等を取り出す際に、手などを火傷する恐れがある。
【００２６】
また、特許文献２または３のように包装袋の内圧による蒸気等を逃がす部分を外箱から露出して電子レンジで加熱した際に、包装袋内の収納物が蒸気等を逃がす部分から噴出する場合がある。そして、電子レンジ器内を汚し、且つ掃除をしなければならないという問題がある。
【００２７】
本発明は、上記の問題を解決するためになされたものであって、液状物、固形物、固液混合物、粘体等の収納物が密封包装され、内部蒸気圧が所定圧力以上に上昇すると該蒸気圧により開口する蒸気孔が設けられている蒸気抜き包装体を、偏平状に寝かせた姿勢で収納した状態で、電子レンジ等で加熱調理が可能である。そして、取り扱い時の危険性も全くなく、且つ、電子レンジ等の加熱時に収納物が噴き出しても電子レンジ内を汚損されることのない蒸気抜き包装袋用外装箱を提供することを目的とする。
【課題を解決するための手段】
【００２８】
上記問題点を解決するために、本発明の請求項１に係る発明は、
包装袋を加熱して発生する水蒸気等の気体による内圧により剥離開口する蒸気孔が設けられている蒸気抜き包装袋の蒸気孔を上面に偏平状に寝かせた姿勢で外装箱に収納し、蒸気抜き包装袋の収納物を加熱調理する際に、蒸気抜き包装袋を外装箱に収納したまま加熱調理する蒸気抜き包装袋用外装箱であって、
前記正面板に対向する摘み部を切れ目線により備え、該摘み部の切れ目線と連設する複数の切り込みによるジッパーまたは切れ目線により切り裂け部を備え、
前記蒸気抜き包装袋用外装箱に収納されている蒸気抜き包装袋の収納物を加熱調理する際に、正面板に形成されている摘み部および切り込みによるジッパーまたは切れ目線により切り裂け部の摘み部周縁を適宜開封し、蒸気抜き包装袋の膨脹によって、蒸気抜き包装袋の蒸気孔が露出することなく切り裂け部が切り裂かれることを特徴とした蒸気抜き包装袋用外装箱である。
【００２９】
次に、本発明の請求項２に係る発明は、
前記正面板に形成されている摘み部の外側方向先端辺に折り曲げ線（罫線）が設けられていることを特徴とした請求項１記載の蒸気抜き包装袋用外装箱である。
【発明の効果】
【００３０】
本発明の蒸気抜き包装袋用外装箱は、以上の構成からなるので、電子レンジ等の加熱により内部蒸気圧が所定圧力以上に上昇すると該蒸気圧により開口する蒸気孔が設けられている蒸気抜き包装袋を収納することができる蒸気抜き包装袋用包装箱である。そして、構造が簡単で、安価で、且つ、加熱調理に際して、手間がかからない。
【００３１】
また、本発明の蒸気抜き包装袋用外装箱に収納されている蒸気抜き包装袋の収納物を、電子レンジ等で加熱調理する際には、蒸気抜き包装袋用外装箱ごと電子レンジ内に載置し
て加熱調理することができる。そして、蒸気抜き包装袋用外装箱は熱くならないので、加熱調理後は、電子レンジ内から容易に取り出すことができる。
【００３２】
また、加熱調理した蒸気抜き包装袋が蒸気抜き包装袋用外装箱に収納されているため、取り出すときに直接蒸気抜き包装袋に触ることがない。このため、火傷等する恐れがない。
【００３３】
また、蒸気抜き包装袋用外装箱に収納されている蒸気抜き包装袋を加熱調理した際に、蒸気逃がし孔が蒸気抜き包装袋用外装箱の内面で覆われている。
【００３４】
このため、蒸気抜き包装袋の収納物が噴き出した場合でも、収納物等が電子レンジ内に飛散することがない。そして、電子レンジ内を汚損することがない。
【００３５】
また、蒸気抜き包装袋用外装箱に蒸気抜き包装袋が偏平状に寝かせた姿勢で収納されているため効率よく加熱できる。そして、蒸気抜き包装袋の蒸気孔から蒸気等が電子レンジ内に飛散することなく円滑に逃がすことができる。
【００３６】
また、本発明の蒸気抜き包装袋用外装箱は収納している蒸気抜き包装袋の蒸気孔を蒸気抜き包装袋用外装箱の内面で覆うので加熱調理後、吹き出すかもしれない収納物により火傷する恐れが少ない。
【００３７】
さらに、本発明の蒸気抜き包装袋用外装箱は正面板の切り込みによるジッパーまたは切れ目線により切り裂け部が形成されている。このため蒸気抜き包装袋の膨脹とともに蒸気孔を露出することなく切り裂かれていく。そして、蒸気等は蒸気抜き包装袋用外装箱の内部から確実に外部に蒸気等が放出される。
【００３８】
そして、蒸気抜き包装袋の収縮と共に蒸気抜き包装袋用外装箱も加熱する前の形状に略戻ることができる。
【００３９】
さらに、本発明の蒸気抜き包装袋用外装箱は収納されている蒸気抜き包装袋のＶ字状に折り畳まれて横幅方向全体に形成されている略中央位置に蒸気孔が設けられている。このため、蒸気抜き包装袋の膨脹とともに、蒸気抜き包装袋のＶ字状に折り畳まれて横幅方向全体が蒸気抜き包装袋用外装箱の内面に強く密着する。
【００４０】
このため、蒸気孔を上側方向に向けることがない。そして、常に蒸気孔からの蒸気等は蒸気抜き包装袋用外装箱の内部から確実に外部に蒸気等が放出される。
【発明を実施するための最良の形態】
【００４１】
本発明の蒸気抜き包装袋用外装箱を実施の形態に沿って以下に図面を参照にしながら詳細に説明する。
【００４２】
図１は、本発明の蒸気抜き包装袋用外装箱に蒸気抜き包装袋が収納されている一実施例の蒸気抜き包装袋用外装箱の形態を示す斜視図である。また、図２は図１の蒸気抜き包装袋用外装箱に収納されている蒸気抜き包装袋の収納物を加熱調理する際の状態を説明するための説明図である。
【００４３】
さらに、図２の蒸気抜き包装袋用外装箱を加熱調理した際の状態を説明するための説明図である。そして、図４は図１の蒸気抜き包装袋用外装箱のブランクの平面形状を示す平面図である。
【００４４】
図１に示すように、本発明の蒸気抜き包装袋用外装箱６０には、電子レンジ加熱が可能なように液状物、固形物、固液混合物、粘体等の調理済み食品等を密封充填した偏平状の蒸気抜き包装袋５０が収納される。そして、蒸気抜き包装袋５０の蒸気孔２２を上面にして収納されている。
【００４５】
また、本発明の蒸気抜き包装袋用外装箱６０は、収納されている蒸気抜き包装袋５０の液状物、固形物、固液混合物、粘体等の収納物を電子レンジ等で加熱調理する際には、蒸気抜き包装袋用外装箱６０に蒸気抜き包装袋５０を入れたまま、電子レンジ内に載置する。
【００４６】
前記蒸気抜き包装袋用外装箱６０に蒸気抜き包装袋５０を入れたまま、電子レンジ内に載置する際には、図２に示すように蒸気抜き包装袋用外装箱６０の正面板１の上側正面板５方向先端と、下側正面板６方向先端に形成されている摘み部８、または切り裂き部３０、３１の摘み部８周縁の一部を適宜開封して電子レンジ内に載置する。
【００４７】
そして、電子レンジ内に蒸気抜き包装袋５０を収納して載置された蒸気抜き包装袋用外装箱６０は加熱調理にともない図３に示すように収納している蒸気抜き包装袋５０が膨らむ。
【００４８】
また、蒸気抜き包装袋用外装箱６０の正面板１に形成されている切り裂き部３０、３１を形成する切り目線２０、２１、２１´、２３、２４が蒸気抜き包装袋５０の膨らみに同調して、蒸気抜き包装袋５０の蒸気孔２２を露出することなく外側方向に切り裂かれて行く。そして、切り裂き部３０、３１が観音扉状に開封される。
【００４９】
また、蒸気抜き包装袋５０の膨脹とともに、蒸気抜き包装袋５０の蒸気孔２２が形成されている横幅方向全体がＶ字状に折り畳まれて上面が包装袋用外装箱６０の内面に強く密着する。
【００５０】
このため、蒸気孔２２を上側方向に向けることがない。そして、常に蒸気孔２２からの蒸気等は蒸気抜き包装袋用外装箱６０の内部から確実に外部に蒸気等が放出される。
【００５１】
そして、蒸気抜き包装袋５０が収納されている蒸気抜き包装袋用外装箱６０を電子レンジ内から蒸気抜き包装袋５０に触れることなく容易に取り出すことができる。このため、火傷する心配もない。
【００５２】
また、加熱調理の終了にともない蒸気抜き包装袋５０は減圧し、略加熱前の形状に戻ると共に、蒸気抜き包装袋用外装箱６０も電子レンジ内に載置した略形状近傍に戻る。
【００５３】
また、蒸気抜き包装袋用外装箱６０を電子レンジ内から取り出す際に、蒸気抜き包装袋用外装箱６０に収納されている蒸気抜き包装袋５０の蒸気孔２２が蒸気抜き包装袋用外装箱６０の内面で露出することなく覆われているため、蒸気等が突然発生しても火傷する恐れがない。さらに、収納物が電子レンジ内に飛び散り、汚損させることもない。
【００５４】
上述したように、本発明の蒸気抜き包装袋用外装箱６０は、図１に示すように、矩形状の正面板１と底面板２と左側面板３と右側面板４および上側面板５と下側面板６から外側面が形成されている。
【００５５】
また、正面板１の上側面板５方向先端と下側面板６方向先端に切れ目線２５、２６による摘み部８が形成されている。そして、正面板１と上側面板５および下側面板６が罫線を介して連設されている罫線が摘み部８の外側先端に形成されている。
【００５６】
また、正面板１の幅方向中央位置に上側面板５方向先端と下側面板６方向先端に形成された摘み部８の内方方向先端の切れ目線２５、２６に連設する切れ目線２０と、摘み部８の上下方向中央位置の幅方向両端方向に切り目線２１、２１´、２３、２４が連設されている。そして、幅方向両端方向に形成された切り目線２１、２１´、２３、２４をつなぐ罫線１８、１９が幅方向両端辺に形成されている。
【００５７】
また、蒸気抜き包装袋用外装箱６０に収納されている蒸気抜き包装袋５０の蒸気孔２２は蒸気抜き包装袋用外装箱６０の横幅方向中央位置の摘み部８の内方方向近傍に形成されている。
【００５８】
また、加熱調理により、蒸気抜き包装袋５０が膨脹して、所定圧に達すると摘み部８が直立している方向に蒸気等が噴き出す。そして、蒸気抜き包装袋用外装箱６０の内側から外側に蒸気等が噴き出される。
【００５９】
また、蒸気抜き包装袋用外装箱６０に収納されている蒸気抜き包装袋５０の収納物を加熱調理する際には、図２に示すように、少なくとも摘み部８と摘み部８周縁の切り裂き部３０、３１の切れ目線２０、２１、２１´、２３、２４を切り裂き、開封して電子レンジ内に載置することが好ましい。
【００６０】
前記摘み部８と摘み部８周縁の切り裂き部３０、３１の切れ目線２０、２１、２１´、２３、２４の切り裂き開封は、通常、摘み部８の上面を押すことにより摘み部８と摘み部８周縁の切れ目線２０、２１、２１´、２３、２４が切り裂かれる。そして、摘み部８を上方に引き出すことにより図２に示すような開封部分４０、４１を容易に形成することができる。
【００６１】
前記開封部分４０、４１が形成された後、蒸気抜き包装袋用外装箱６０に蒸気抜き包装袋５０を入れたまま、電子レンジ内に載置する。そして、蒸気抜き包装袋５０に収納されている収納物が加熱調理される。
【００６２】
また、加熱調理に伴い蒸気抜き包装袋５０は図３に示すように膨脹する。そして、蒸気抜き包装袋５０の膨脹により、切り裂き部３０、３１に形成されている切れ目線２０、２１、２１´、２３、２４が切り裂かれて行く。そして、正面板１の上側面に観音扉状の開封部分が形成される。
【００６３】
また、蒸気抜き包装袋５０の横幅方向全体がＶ字状に折り畳まれ、その中央位置上面に形成されている蒸気孔２２上面の横幅方向の左右は蒸気抜き包装袋５０の膨脹とともに、包装袋用外装箱６０の内面に強く密着する。
【００６４】
このため、蒸気孔２２は蒸気抜き包装袋５０の底部方向に向けられている。そして、上述したように蒸気抜き包装袋５０が膨脹して、所定圧に達すると蒸気孔２２が上側方向に露出することなく蒸気等が直立している摘み部８の方向に噴き出す。そして、蒸気抜き包装袋用外装箱６０の内側から外側に蒸気等が噴き出される。
【００６５】
このため、たとえ、蒸気と共に噴き出された収納物があっても、電子レンジ内に飛び散ることはない。このため、電子レンジ内が汚損されることもない。
【００６６】
また、加熱調理の終了にともない蒸気抜き包装袋５０は減圧し、上述したように略加熱前の形状に戻ると共に、蒸気抜き包装袋用外装箱６０も電子レンジ内に載置した略形状近傍に戻る。
【００６７】
そして、蒸気抜き包装袋５０が収納されている蒸気抜き包装袋用外装箱６０を電子レンジ内から取り出す際に、蒸気抜き包装袋５０に触れることなく容易に取り出すことができる。このため、火傷する心配も全くない。
【００６８】
次に、本発明の蒸気抜き包装袋用外装箱６０のブランク板３０は図４に示すように左側面板３と正面板１と右側面板４と底面板２と接着面板４２が順次、罫線２７、２８、２９、１７を介して連設されている。
【００６９】
前記左側面板３の上下方向両先端にそれぞれ罫線３３、３４を介して下側左面板３５と上側左面板３４が形成されている。
【００７０】
また、正面板１の上下方向両先端の横幅方向中央位置に切れ目線２５、２６による山形形状の摘み部８が形成されている。そして、内側方向が円弧状で山型形状の摘み部８が形成されている。
【００７１】
また、山型形状の内側方向が円弧状に形成されている切れ目線２５、２６をつなぐ切れ裂き部３０、３１を形成する切れ目線２０が正面板１の横幅方向中央位置に形成されている。
【００７２】
さらに、正面板１の上下方向両先端に形成されている摘み部８の切れ目線２５、２６の上下方向の、略中央位置に横幅方向左右に摘み部８の切れ目線２５、２６から横幅方向外側左右に伸びる切れ裂き部３０、３１を形成する切れ目線２１、２１´、２３、２４が形成されている。
【００７３】
そして、摘み部８の切れ目線２５、２６から外側に形成された切れ目線２１、２１´、２３、２４の上下先端をつなぐ罫線１８、１９が形成されている。
【００７４】
上記摘み部８は切れ目線２５、２６に連設している切れ目線２１、２１´、２３、２４と、摘み部８の切れ目線２５、２６から横幅方向左右外側に形成された切れ目線２１、２１´、２３、２４をつなぐ罫線１８、１９によって形成されている。そして、蒸気抜き包装袋用外装箱６０に収納されている蒸気抜き包装袋５０が膨脹した際に、切れ裂き部３０、３１を形成している切れ目線等が切り裂かれて行き、切れ裂き部３０、３１が観音扉状に開封される。
【００７５】
また、正面板１の上下方向両先端は罫線１１、１２を介して上側正面板５と下側正面板６が形成されている。そして、上側正面板５の横幅方向中央位置に正面板１に形成されている摘み部８の切れ目線２５、２６からハの字状に垂下する罫線４３、４４が形成されている。
【００７６】
前記ハの字状に垂下する罫線４３、４４は蒸気抜き包装袋用外装箱６０に収納されている蒸気抜き包装袋５０が膨脹した際に、蒸気抜き包装袋用外装箱６０が蒸気抜き包装袋５０の膨脹形状により一層同調するために形成されている。
【００７７】
また、右側面板４の上下方向両先端は罫線１５、１６を介して上側右面板３６と下側右面板３７が形成されている。
【００７８】
また、底面板２の上下方向両先端にそれぞれ罫線１３、１４を介して下側底面板３９と上側底面板３８が形成されている。そして、上述したように底面板２の外側方向に罫線１７を介して接着面板４２が連設されている。
【００７９】
また、前記上側底面板３８の横幅方向中央位置に逆ハの字状の罫線４５、４６が形成されている。この罫線４５、４６は、上底面板３８の上面に上側正面板５が重ね合わされた際に、上側正面板５に形成しているハの字状罫線４３、４４と一体化される。そして、上述したように蒸気抜き包装袋５０の膨脹形状により一層同調するために形成されている。
【００８０】
上述した形状のブランク板１０を作製する場合には、通常トムソンあるいはビクトリア等の平圧式で打ち抜き加工するか、あるいは円圧式あるいは輪転式等の公知の打ち抜き加工機を用いて打ち抜き加工される。
【００８１】
また、印刷加工機と打ち抜き加工を備えたインライン機（ボブストチャンプレン機…ボブスト社製、ジーランド機…ジーランド社製）等で作製される。前記作製に際しては、打ち抜き加工される材料あるいは生産数量、材料の大きさ、厚み等によって適宜打ち抜き加工機が選定される。
【００８２】
そして、通常、紙器加工に使用されている切れ刃と罫線刃（罫線を形成する押し刃）を埋め込んだ表抜き抜型を使用することができる。
【００８３】
また、本発明の蒸気抜き包装袋用外装箱６０のブランク板１０を作製する場合の抜型は、雄型と雌型から構成されている。そして、雄型は合板等に函の形状に合わせて、レーザー切断装置等で溝を切り込み、紙等に罫線を形成する罫線刃と切断する切刃が埋め込まれている、公知の抜型が使用できる。
【００８４】
そして、本発明の蒸気抜き包装袋用外装箱６０は上述した打ち抜き加工機等でブランク板１０を作製する。
【００８５】
また、ブランク板１０が作製された後、公知のサック貼り機（サック貼り製函機）あるいは長貼り機（長貼り製函機）または製函加工機等により、スリーブ状に製函する。そして、液状物、固形物、固液混合物、粘体等の収容物が充填され密封されている蒸気抜き包装袋５０を収納する。
【００８６】
また、本発明の蒸気抜き包装袋用外装箱６０は折り畳まれている状態からスレーブ状の扁平筒に形成する際に、正確に、且つ、容易に起きやすくするために製函機上でブランク板の通常第３罫線（ブランク板１０の罫線２８）と第１罫線（ブランク板１０の罫線１７）を内側に１２０゜〜１８０゜程度に折り畳んだ後、再び平らに戻して製函する。
【００８７】
そして、糊着け装置でブランク板１０の接着面板４２の裏側面（ブランク板１０の表側面）に接着剤を塗工する。
【００８８】
前記塗工は糊着け装置の糊車上の接着剤がブランク板１０の接着面板４２上に転写される状態で塗工される。そして、塗工と同時に、第２罫線（ブランク板１０の罫線２９）から右側面板４と接着面板４２が内側に折り込み畳まれ、正面板１上に重なる。
【００８９】
さらに、第４罫線（ブランク板１０の罫線２７）から底面板２の表側面（ブランク板１０の裏側面）が接着面板４２上に折り畳まれ接着接合される。このため、蒸気抜き包装袋用包装箱６０を組み立てる際に、製函され、折り畳まれているスリーブが起こしやすく、且つ、組み立て易くなる。
【００９０】
また、前記接着剤としては、ブランク板１０が板紙の場合には公知の酢酸ビニルエマルジョン、ポリビニルアルコール、ポリウレタン等の接着剤が用いられる。
【００９１】
また、ホットメルト接着剤等も用いることができる。そして、ブランク板１０に用いられる板紙の種類、厚さ、表面加工状態、あるいは蒸気抜き包装袋５０に収納されている内容物または流通・使用条件等により適宜の接着剤および接着幅または塗布量等が適宜選定される。
【００９２】
また、蒸気抜き包装袋用外装箱６０に液状物、固形物、固液混合物、粘体等の収納物が密封されている蒸気抜き蒸気抜き包装袋５０は公知の縦型カートニングマシンあるいは横型カートニングマシンを用いて収納することができる。
【００９３】
前記縦型カートニングマシンで、例えば、蒸気抜き包装袋用外装箱６０に蒸気抜き蒸気抜き包装袋５０を収納する場合には、スリーブ状に製函された蒸気抜き包装袋用外装箱６０の下側正面板方向を封緘する。
【００９４】
上記下側正面板方向を封緘する際には、まず下側左面板３５と下側右面版３７を内側に９０度折り畳む。次に、下側底面板３９を同じく９０度内側に折り畳み下側左面版３５と下側右面板３７上面に重ね合わす。
【００９５】
そして下側正面板６の内面か、あるいは、下側底面板３９の上面のいずれか一方に接着剤を塗布して、下側正面板６を９０度内側に折り畳み下側底面板３９上面と接着接合させる。
【００９６】
そして、開口している上側正面板方向から液状物、固形物、固液混合物、粘体等の収納物を密封収納している蒸気抜き包装袋５０が収納される。
【００９７】
前記蒸気抜き包装袋５０が収納された蒸気抜き包装袋用外装箱６０は、上側左面版３４と上側右面版３６を内側に９０度折り畳む。次に、上側底面板３８を同じく９０度内側に折り畳み上側左面版３４と上側右面版３６上面に重ね合わす。
【００９８】
そして、上側正面板５の内面か、あるいは、上側底面板３８の上面のいずれか一方に接着剤を塗布して、上側正面板５を９０度内側に折り畳み上側底面板３８上面と接着接合させる。
【００９９】
前記開口している上側正面板方向から蒸気抜き包装袋５０を収納する際には、蒸気抜き包装袋５０の蒸気孔２２を上側にして寝かせた状態で蒸気抜き包装袋用外装箱６０に充填収納されるように蒸気抜き包装袋５０と蒸気抜き包装袋用外装箱６０の表裏関係を確認する。
【０１００】
または、スリーブ状にしてから充填収納する方法をとらずに、一気に一枚のブランク板１０に液状物、固形物、固液混合物、粘体等の収納物が密封されている蒸気抜き包装袋５０を寝かせた状態で充填収納する、いわゆるラップランド包装形態を用いることもできる。
【０１０１】
さらに、本発明の蒸気抜き包装袋用外装箱６０は折り畳まれている状態からスレーブ状の扁平筒に形成する際に、自動包装機でも、あるいは手作業でも、正確に、安定して、容易に形成することができる。
【０１０２】
次に、図５は、本発明の蒸気抜き包装袋用外装箱に蒸気抜き包装袋が収納されている他の一実施例の蒸気抜き包装袋用包装箱の形態を示す斜視図である。また、図６は図５の蒸気抜き包装袋用外装箱に収納されている蒸気抜き包装袋の収納物を加熱調理する際の状態
を示す説明図である。
【０１０３】
さらに、図７は蒸気抜き包装袋用外装箱を加熱調理した際の状態を説明するための説明図である。そして、図８は図５の蒸気抜き包装袋用外装箱のブランク板の平面形状を示す平面図である。
【０１０４】
図５に示すように、本発明の蒸気抜き包装袋用外装箱９０には、電子レンジ加熱が可能なように液状物、固形物、固液混合物、粘体等の調理済み食品等を密封充填した偏平状の蒸気抜き包装袋９０が収納される。そして、蒸気抜き包装袋８０の蒸気孔２２を上面にして収納されている。
【０１０５】
また、本発明の蒸気抜き包装袋用外装箱９０は、収納されている蒸気抜き包装袋８０の液状物、固形物、固液混合物、粘体等の収納物を電子レンジ等で加熱調理する際は、蒸気抜き包装袋用外装箱９０に蒸気抜き包装袋８０を入れたまま、電子レンジ内に載置する。
【０１０６】
前記蒸気抜き包装袋用外装箱９０に蒸気抜き包装袋８０を入れたまま、電子レンジ内に載置する際には、図６に示すように蒸気抜き包装袋用外装箱９０の正面板１の中央位置に対向して切れ目線２５、２６によりコの字状と逆コの字状に形成されている摘み部８と摘み部８の切れ目線２５、２６と連設するハの字状の切れ込みによるジッパー５１〜５４から形成されている切り裂き部３０、３１の摘み部８周縁の一部を適宜開封して電子レンジ内に載置する。
【０１０７】
そして、電子レンジ内に蒸気抜き包装袋８０を収納して載置された蒸気抜き包装袋用外装箱９０は加熱調理にともない図７に示すように収納している蒸気抜き包装袋８０が膨らむ。
【０１０８】
前記蒸気抜き包装袋８０が膨らむ際は、正面板１の中央位置に形成されている摘み部８の切れ目線２５、２６に連設されている切り込みによるジッパー５１〜５４が外側方向に向かって蒸気抜き包装袋８０の蒸気孔２２を露出することなく切り裂かれて行く。そして、蒸気抜き包装袋８０の蒸気孔２２から噴出する蒸気等は蒸気抜き包装袋用外装箱の内部から確実に外部に放出される。
【０１０９】
また、加熱調理の終了にともない蒸気抜き包装袋８０は減圧し、略加熱前の形状に戻ると共に、蒸気抜き包装袋用外装箱９０も電子レンジ内に載置した略形状近傍に戻る。
【０１１０】
また、加熱調理後、蒸気抜き包装袋用外装箱９０を蒸気抜き包装袋８０に触れることなく電子レンジ内から容易に取り出すことができる。このため、火傷する心配もない。
【０１１１】
また、蒸気抜き包装袋用外装箱９０を電子レンジ内から取り出す際に、蒸気抜き包装袋用外装箱９０に収納されている蒸気抜き包装袋８０の蒸気孔２２が蒸気抜き包装袋用外装箱６０の内面で露出することなく覆われているため、蒸気等が突然発生しても火傷する恐れがない。さらに、収納物が電子レンジ内に飛び散り、汚損させることもない。
【０１１２】
上述したように、本発明の蒸気抜き包装袋用外装箱９０は、図１に示すように、矩形状の正面板１と底面板２と左側面板３と右側面板４および上側面板５と下側面板６から外側面が形成されている。
【０１１３】
また、正面板１の中央位置に切れ目線２５、２６により、対向する状態でコの字状と逆コの字状の摘み部８が形成されている。そして、摘み部８の切れ目線２５、２６の外側方向の先端と連設するハの字状の切り込みによるＪの字形状のジッパーにより切り裂かれ部
３０、３１が形成されている。
【０１１４】
また、正面板１の下側正面板６方向と上側正面板５方向に形成されたハの字状の切り込みによるＪの字形状のジッパー５１〜５４が形成されている、右側面板４方向の該ジッパーの先端に罫線４７、４８が形成されている。そして、この罫線４７、４８は右側面板４に垂下している。
【０１１５】
前記罫線４７、４８は蒸気抜き包装袋用外装箱９０に収納されている蒸気抜き包装袋８０の膨脹と蒸気抜き包装袋用外装箱９０が同調可能に形成されるため等に設けられている。
【０１１６】
また、切れ目線２５、２６により、コの字状と逆コの字状の形成されている摘み部８と切り込みによるＪの字形状のジッパーが連設する箇所にコの字状をつなぐ罫線５７と逆コの字状をつなぐ罫線５８が形成されている。
【０１１７】
また、本発明の蒸気抜き包装袋用外装箱９０に収納されている蒸気抜き包装袋８０の蒸気孔２２は蒸気抜き包装袋用外装箱９０の下側正面板６近傍の中央位置に形成されている。
【０１１８】
また、蒸気抜き包装袋用外装箱９０に収納されている蒸気抜き包装袋８０の蒸気孔２２は上面が蒸気抜き包装袋用外装箱９０の内側と対面する状態で覆われている。そして、蒸気抜き包装袋用外装箱９０の切り裂き部３０、３１が切り裂かれても蒸気孔２２は露出することなく蒸気抜き包装袋用外装箱９０の内面で覆われている。
【０１１９】
次に、蒸気抜き包装袋用外装箱９０に収納されている蒸気抜き包装袋８０の収納物を加熱調理する場合には上述したように摘み部８と摘み部８周縁の切り裂き部３０、３１の一部を適宜開封して電子レンジ内に載置する。
【０１２０】
前記摘み部８と摘み部８周縁の切り裂き部３０、３１の一部を適宜開封する際には対向する摘み部８の中心部周縁を押すと摘み部８と摘み部８周縁の切り裂き部３０、３１の一部が切り裂かれる。
【０１２１】
また、摘み部８の外側方向に形成されている罫線５７、５８を折り曲げることにより摘み部８がつかみ易くなる。そして、上側方向に摘み部を持ち上げて電子レンジ内に載置する。
【０１２２】
そして、蒸気抜き包装袋８０の蒸気孔２２を上面にして偏平状に寝かせた状態で電子レンジ内に載置された蒸気抜き包装袋用外装箱９０は加熱調理にともない図７に示すように、液状物、固形物、固液混合物、粘体等の収納物が収納されている蒸気抜き包装袋８０が膨脹する。そして、膨脹に同調して切り裂き部３０、３１に形成されている切れ込みによるジッパー５１〜５４が外側方向に切り裂かれて行く。
【０１２３】
また、蒸気抜き包装袋８０の膨脹に蒸気抜き包装袋８０の圧力が所定圧に達する蒸気抜き包装袋８０に形成されている蒸気孔２２から蒸気等が噴出す。そして、噴き出された蒸気等は蒸気孔２２が蒸気抜き包装袋用外装箱９０の内面で覆われているため、蒸気抜き包装袋用外装箱９０の内側から外側に放出される。
【０１２４】
そして、加熱調理の終了にともない蒸気抜き包装袋８０は減圧し、略加熱前の形状に戻ると共に、蒸気抜き包装袋用外装箱９０も電子レンジ内に載置した略形状近傍に戻る。
【０１２５】
前記蒸気抜き包装袋８０が膨らむ際は、正面板１の中央位置に形成されている摘み部の切れ目線２５、２６に連設されている切り込みによるジッパー５１〜５４が外側方向に向かって蒸気抜き包装袋８０の蒸気孔２２を露出することなく切り裂かれて行く。そして、蒸気抜き包装袋８０の蒸気孔２２から噴出する蒸気等は蒸気抜き包装袋用外装箱の内部から確実に外部に噴出される。
【０１２６】
また、加熱調理の終了にともない蒸気抜き包装袋８０は減圧し、略加熱前の形状に戻ると共に、蒸気抜き包装袋用外装箱９０も電子レンジ内に載置した略形状近傍に戻る。
【０１２７】
さらに、加熱調理後、上述したように電子レンジ内から蒸気抜き包装袋用外装箱９０を蒸気抜き包装袋８０に触れることなく容易に取り出すことができる。このため、火傷する心配もない。
【０１２８】
また、蒸気抜き包装袋８０の蒸気孔２２が蒸気抜き包装袋用外装箱９０の内面で露出することなく覆われているため、蒸気等が突然発生しても火傷する恐れがない。さらに、収納物が電子レンジ内に飛び散り、汚損させることもない。
【０１２９】
次に、本発明の蒸気抜き包装袋用外装箱９０のブランク７０は図８に示すように矩形状の左側面板３と正面板１と右側面板４と底面板２と接着面板４２が順次、罫線２７、２８、２９、１７を介して連設されている。
【０１３０】
前記左側面板３の上下方向両先端に罫線３２、３３を介して下側左面板３５と上側左面板３４が形成されている。
【０１３１】
また、正面板１は中央位置に切れ目線２５、２６により対面しているコの字状と逆コの字状の摘み部が形成されている。そして、摘み部８の外側方向にコの字状と逆コの字状を口の字状に形成する罫線５７、５８が形成されている。
【０１３２】
また、摘み部８の外側方向に形成されている切れ目線２５、２６と連設するハの字状の切り込みによるＪの字状のジッパー５１〜５４が形成されている。
【０１３３】
また、正面板１の下側正面板６方向と上側正面板５方向に形成されたハの字状の切り込みによるＪの字形状のジッパー５１〜５４が形成されている、右側面板４方向の該ジッパーの先端に罫線４７、４８が形成されている。そして、この罫線４７、４８は右側面板４に垂下している。
【０１３４】
前記ハの字状の切り込みによるＪの字形状のジッパー５１〜５４は特にＪの字形状に限定されるものではない。例えばＩの字形状、ハの字形状、Ｙの字形状あるいはＴの字形状等公知の切り込みによるジッパー５１〜５４を用いることができる。
【０１３５】
また、右側面板４の上下方向両先端は罫線１３、１４を介して下側底面板３９と上側底面板３６が形成されている。そして、正面板１から垂下する二本の罫線４７、４８が形成されている。
【０１３６】
さらに、底面板２の上下方向両先端は罫線１５、１６を介して下側右面板３７と上側右面板３８が形成されている。そして、底面板２の右側先端に罫線１７を介して接着面板４２が形成されている。
【０１３７】
また、前記ブランク板７０は図４で上述したように公知のサック貼り製函機あるいは長貼り製函機または製函機等によりスリーブ状に形成する。そして、その作製方法等も同様
にして蒸気抜き包装袋用外装箱９０が作製される。
【０１３８】
そして、液状物、固形物、固液混合物、粘体等の収納物が充填され密封されている蒸気抜き包装袋８０の収納も、上述したように縦型カートニングマシンや横型カートニングマシンあるいはラップランド方式等公知の包装機等を用いて収納することができる。
【０１３９】
また、図４および図８のブランク板１０、７０は板紙、マイクロフルート、Ｅフルート等の化粧段ボールシート、プラスチックシート等が使用できる。
【０１４０】
そして、ブランク板１０、９０が板紙の場合には、例えば、アイボリー紙、ポストカード、両面カード紙、マニラボール紙、白ボールである白板紙等、通常の板紙を使用することができる。
【０１４１】
また、収納する内容物あるいは流通・使用条件または使用用途によって紙の中間層に古紙を使用した紙、あるいは黄ボール、チップボール、色ボール（両面クラフトボール、片面クラフトボール他）等の下級紙を用いることもできる。
【０１４２】
また、本発明の蒸気抜き包装袋用外装箱に美粧性が要求される場合には、板紙に印刷加工や箔押し加工または植毛加工あるいは隆起加工（発砲樹脂インキを用いた隆起加工あるいは雄雌金型によるエンボス加工）等が施される。
【０１４３】
また、前記板紙の表側面に施される印刷は凸版印刷、あるいはオフセット印刷またはグラビア印刷、フレキソ印刷あるいはスクリーン印刷等の印刷方式により、商品の写真、内容説明、賞味期限などを印刷して消費者の購買動機に寄与する表示等が施される。
【０１４４】
そして、印刷する板紙の生産数量（ロット）あるいは用途、デザインまたは印刷される表面の材質等によって印刷方式が適宜選定される。さらに、流通条件または店頭販売条件等により印刷加工が施された印刷面を保護するための表面加工も施される。
【０１４５】
また、前記オフセット印刷の場合のインキは合成樹脂、乾性油、高沸点溶剤を組み合わせたビヒクルを使用し、光沢や耐摩擦性、セット性、乾燥時間などの諸条件により組成が調整され、さらに浸し水との版面でのバランスに係わる界面適正を考慮した公知のインキが用いられる。
【０１４６】
例えば、インキが油性インキタイプ（酸化重合型の乾性油などを主体としたインキをいう）の場合は、ビヒクルとして、合成樹脂、乾性油（植物油）、溶剤、助剤などが必要となる。
【０１４７】
通常、合成樹脂は、ロジン変性フェノール、石油系樹脂、アルキド樹脂などを用いる。また、乾性油は、あまに油、きり油、大豆油、合成乾性油などを使用する。さらに溶剤は高沸点石油系溶剤などが用いられる。
【０１４８】
さらに、助剤には、粘度調整剤としてコンパンドなど、また乾燥調整剤としては、乾燥剤（ドライヤー）、乾燥抑制剤などを用いる。
【０１４９】
また、グラビア印刷方式の場合には、有機溶剤型インキタイプが用いられるが、前記光沢材料を分散する樹脂に、例えばポリ塩化ビニル系、塩化ビニル−酢酸ビニル共重合体、ポリビニルブチラール系、ポリメチルメタクリル系、ポリウレタン系、ポリエステル系、ポリアミド系、ニトロセルロース系、セルロース誘導体系などの熱可塑性高分子樹脂、またはメラミン系、尿素系などの熱硬化性高分子樹脂を使用することができる。そして、こ
れらから適宜選択される。
【０１５０】
さらに、前記樹脂を溶解する有機溶剤としては、樹脂を溶解、あるいは分散することが可能であれば特に限定されるものではないが、例えば、酢酸エチル、酢酸ブチルなどのエステル類、メチルエチルケトン、メチルイソブチルケトンなどのケトン類、トルエン、キシレンなどの芳香族炭化水素類のうち単独または任意に配合したものを使用することができる。
【０１５１】
さらに、印刷された表面をより美しく綺麗に見栄え良くするためにグロスオーバープリントワニス、あるいは板紙表側面の印刷されている上に、例えば、ポリエチレン（ＰＥ）あるいはポリプロピレン（ＰＰ）またはポリエチレンテレフタレート（ＰＥＴ）、ポリイミド（ＰＩ）、ポリアクリロニトリル（ＰＡＮ）、ポリ塩化ビニル（ＰＶＣ）等の樹脂を積層させる。
【０１５２】
前記積層は熱溶融して塗布する押し出しコーティング加工か、あるいはフイルムになったものを貼り合わせるラミネート加工などを用いる。そして、印刷されている表面の光沢と艶を増すことが出来る。
【０１５３】
また、酢酸ビニール、塩化ビニリデンなど、樹脂を溶解したものを、ゴムロールでコーティングした後、エンドレススチールベルトに一定時間加熱圧着するプレスコート、あるいは０．０１５〜０．０２程度の塩化ビニルフイルムあるいはポリプロピレンフイルムを印刷が施されている板紙に貼った後でロールまたは平板熱プレスを施すフイルム貼りプレス加工等によっても成される。
【０１５４】
また、前記板紙の表面に美粧性を付与するためのエンボッシング（エンボスあるいは型付け）は板紙から所定の罫線（折り目線）と形状に施されているブランク板を作製する平圧式あるいは円圧式または輪転式等の打ち抜き機（打ち抜き罫線加工機）上で施すこともできる。
【０１５５】
また、箔押し加工を施す箔押し加工機上で施すこともできる。さらに箔押し加工機上で箔押し加工と同時にエンボス加工を施すこともできる。
【０１５６】
また、ブランク板１０、９０を作製する板紙は使用される条件、例えば、保存方法、保存期間、内容物、流通条件、店頭販売条件などによって、耐水性、耐油性、耐薬品性などが付与される。
【０１５７】
板紙に耐水性、耐油性、耐薬品性などが付与する方法は板紙の抄造加工時に付与する方法と抄造加工後に付与する方法があるが蒸気抜き包装袋用外装箱６０、９０の使用される条件、例えば、保存方法、保存期間、内容物、流通条件、店頭販売条件などによっていずれかの方法が適宜選択される。
【０１５８】
前記板紙に耐水性を抄造加工時に付与する場合、例えば、添加される耐水剤は、通常、抄紙前のパルプ縣濁液に内添する内添耐水剤である。
【０１５９】
そして、湿潤紙力増強剤として、尿素―ホルムアルデヒド樹脂、メラミンーホルムアルデヒド樹脂、エポキシ化ポリアミド樹脂、ポリエチレンイミン樹脂、ジアルデヒドでんぷん、グリオキザール化ポリアクリルアミド樹脂等がある。
【０１６０】
また、この耐水剤の添加量は、使用するパルプの種類、薬剤の種類や目的とする耐水性により異なる。
【０１６１】
さらに、抄造加工された板紙に耐水性を附与す二次加工用薬剤としては、価格あるいは性能等のバランスが優れているカルナバワックス、パラフィン系ワックス、ポリエチレンワックス等のワックスが多く使用されている。
【０１６２】
また、水に不溶なポリ塩化ビニル、ポリ塩化ビニリデン、ポリ酢酸ビニル、エチレンー酢酸ビニル共重合体、塩化ビニリデンー酢酸ビニル共重合体などの高分子溶液あるいはエマルジョンが用いられる。
【０１６３】
また、上記抄造加工された板紙に耐水剤あるいは耐薬品剤等の加工に際しては、ロールコーター、エアナイフコーター、メタリングバーコーター、ファウンテンブレードコーター、ベベルブレードコーター、ショート・ドゥエルコーターあるいはカーテンコーター等が使用できる。
【０１６４】
そして、特に限定されないがいずれかの適宜の塗工機を用いて板紙の表側面あるいは裏側面または両側面に耐水剤あるいは耐薬品剤等が塗工される。
【０１６５】
また、板紙に耐油性を付与するためには、通常、加工処理面の臨海表面張力を油性物質の表面張力より小さくすることが必要である。
【０１６６】
このような機能を有する薬品を耐油剤と称し、主に過フッ素化水素のアクリルレートまたはリン酸エステル等のフッ素化合物を用いたものが耐油紙として知られているように一般的にフッ素系耐油剤で処理されている。
【０１６７】
また、上記抄造加工された板紙に耐油剤の塗工に際しては、ロールコーター、エアナイフコーター、メタリングバーコーター、ファウンテンブレードコーター、ベベルブレードコーター、ショート・ドゥエルコーターあるいはカーテンコーター等、特に限定されないがいずれかの適宜の塗工機を用いて板紙の表側面あるいは裏側面または両側面に施される。
【０１６８】
また、耐水性あるいは耐油性が付与されている板紙の内側面に樹脂層を形成することにより、耐水性あるいは耐油性等の機能性をより一層向上されることができる。
【０１６９】
前記樹脂層の形成は、例えば、ポリエチレン（ＰＥ）、低密度ポリエチレン（ＬＤＰＥ）、高密度ポリエチレン（ＨＤＰＥ）、ポリ塩化ビニル（ＰＶＣ）、ポリフッ化エチレン（ＰＴＦＥ）、ポリ塩化ビニリデン（ＰＶＤＣ）、ポリカーボネート（ＰＣ）、ナイロン６（ＮＹ）、ポリブチレンテレフタレート（ＰＢＴ）、ポリプロピレン（ＰＰ）、ポリエチレンテレフタレート（ＰＥＴ）、アクリロニトリル（ＡＮ）、線状低密度ポリエチレン（ＬＬＤＰＥ）、ポリアクリロニトリル（ＰＡＮ）、耐衝撃性ポリスチレン（ＨＩＰＳ）、ポリアクリロニトリル（ＰＡＮ）などの樹脂を用いることができる。
【０１７０】
また、前記板紙の内側面に施される樹脂層は熱可塑性樹脂等を熱溶融して塗布する押し出しコーティング加工か、あるいはフィルムになったものを貼り合わせるラミネート加工のいずれかによって施される。
【０１７１】
前記ラミネート加工はウエットラミネート、ドライラミネート、ノンソルベントラミネートまたはニーラムラミネートあるいは押し出しラミネートなどがある。そして、適宜のラミネート加工方法が選択される。
【０１７２】
次に、本発明の蒸気抜き包装袋用外装箱６０、９０に収納される蒸気抜き包装袋５０、
８０は調理済みあるいは半調理状態の食品等を密封した包装袋で、電子レンジなどの調理器内で加熱に伴って加圧された包装体内部の水蒸気などの気体を、包装袋に形成された蒸気抜き手段によってスムーズに逃がすことができる。
【０１７３】
前記蒸気抜き包装袋は食品加工技術および包装技術の発達や電子レンジの普及等によって、大量に生産され、使用されている。
【０１７４】
この電子レンジによる高周波加熱に伴って水蒸気が発生するが、この水蒸気によって、プラスチックフィルムで形成された通常の密封袋は、膨脹し、破裂してしまう。
【０１７５】
そこで、従来の電子レンジ用パウチにおいては、電子レンジの高周波加熱によって袋内部に生じる水蒸気を袋外部へ排出するために、パウチ本体の一部を加熱時に開封するか、パウチ本体に逃孔を設けている。
【０１７６】
本発明の蒸気抜き包装袋用外装箱６０、９０に収納されている蒸気抜き包装袋５０、８０としては、例えば、図９（ａ）（ｂ）に示すような包装袋が用いられている。
【０１７７】
前記蒸気抜き包装袋５０、８０は図９（ａ）（ｂ）および図１０に示すように、それぞれ積層フィルムである表側積層フィルム６１と裏側積層フィルム６２とを重ね合わせ形成されている。
【０１７８】
そして、図９（ａ）（ｂ）および図１０に示すようにその重ね合わせた内面に積層形成されている熱接着性シーラント層６３、６４にて端部周囲をヒートシールによる熱融着をして、底シール部６５、両サイドのサイドシール部６６が形成されている。そして、開口部６８から液状物、固形物、固液混合物などの収納物を収納できるようになっている。
【０１７９】
前記裏側積層フィルム６２には、蒸気抜き包装袋の横幅全体にわたって底シール部６５側でこの底シール部６５と平行にしてこの裏側積層フィルム６２にＶ字形状の折り返し部端部６９が形成されている。
【０１８０】
また、折り返し部端部は外側折返部７２と内側折返部７１が形成されている。そして外側折返部７２と内側折返部７１の内側には易剥離性を有する剥離性テープ材６７が折り返し部端部と平行に蒸気抜き包装袋の横幅全体に亘って挿入されている。
【０１８１】
また、剥離性テープ材６７（図１４に示す）は、表側、裏側積層フィルム６１、６２のシーラント層６３、６４に対して接着性を示す接着性樹脂層７３と、そのシーラント層６３、６４に対して蒸気圧により剥離性を示す剥離性樹脂層７４の２層構成から剥離性テープ材６７が形成されている。
【０１８２】
そして、逆凹字形状の中央パターンシール部７５と、左右パターンシール部７６、７７と、サイドシール部６６、６６にてヒートシールされて介在している。
【０１８３】
また、剥離性テープ材６７の上端部領域は、図１０に示すように、Ｖ字形状に折り返された内側折返部７１よりも上方に長く延設されている。そして、その延設部分である剥離性テープ材６７の上部領域（図面の上側）は、その上端部領域の接着性樹脂層面と対面する裏側積層フィルム６２の外側折返部７２の外側にある裏側積層フィルム６２内面のシーラント層６４面にヒートシールされている。
【０１８４】
そして、蒸気圧による剥離が不能な状態に接着しており、その剥離性テープ材６７の下部領域（図面の下側）領域は、対面する裏側積層フィルム内面のシーラント層面に対して
ヒートシールされておらず、逆凹字形状の中央パターンシール部と、左右パターンシール部の未シール部内で非接着状態となっている。
【０１８５】
なお、図９（ａ）（ｂ）および図１０に示す蒸気抜き包装袋の例の場合は、剥離性テープ材６７の下端部領域は、中央シール部７５の未シール部の内部に設けたシール部７８内面の裏側積層フィルム６２のシーラント層６４面にヒートシールされている。
【０１８６】
このように、その剥離性テープ材６７の接着性樹脂層面は、内側折返部７１のＶ字形状折返外側にある裏側積層フィルム６２内面のシーラント層６４に蒸気圧による剥離が不能な状態にヒートシールされている。
【０１８７】
そして、その剥離性テープ材６７の剥離性樹脂層面は内側折返部のＶ字形状折返内側にある裏側積層フィルム６２内面のシーラント層６４に蒸気圧による剥離が可能な状態にヒートシールされている。
【０１８８】
また、蒸気抜き包装袋の中央パターンシール部７５の未シール部８１領域内には、外側折返部７２の裏側積層フィルム６２と、その外側折返部７２内面の剥離性テープ材６７とに亘って、逆凹字形状の切り込み線の蒸気抜き孔２２が貫設されている。
【０１８９】
前記蒸気抜き孔２２の形状が、外側折り返し端部の直線ラインに対して平行な直線形状の両端に斜めもしくは垂直下向きの短い直線を備える逆凹字型形状であることから、開口径を立体的に拡げて水蒸気がスムーズに排出される構造を有している。
【０１９０】
また、蒸気抜き包装袋の蒸気抜き孔２２は、包装袋内への内容物充填前及び充填密封包装後の常温下（通常雰囲気下）においては、中央パターンシール部７５にて封鎖され密封されている。
【０１９１】
そして、図１１あるいは図１２に示すように電子レンジ等の加熱手段の加熱室内に、蒸気抜き包装袋用外装箱に収納したまま蒸気抜き包装袋を外側折返部７２側を上面にして水平に載置して加熱することにより、蒸気抜き包装袋内の気圧や蒸気圧など内圧が上昇し、蒸気抜き包装袋が膨張して膨張力が発生する。
【０１９２】
その膨張力により、中央パターンシール部７５がシール剥離後退を生じ、裏側積層フィルム６２の外側折返部７２面と剥離性テープ材６７の剥離性樹脂層７４面とが剥離して、蒸気抜き孔２２を介して包装袋内部と未シール部と外部とが連通する。そして、開口径を立体的に拡げて蒸気抜き孔２２から、膨張した包装袋内の加熱蒸気や気体が放出されて、包装袋を破裂させずに内容物を加熱したり加熱調理したりすることができるものである。
【０１９３】
また、蒸気抜き包装袋は該包装袋の外側折返部すなわち蒸気抜き孔２２を下側にしてしまった場合であっても、蒸気抜き孔２２の貫設された切り込み線を挟んで両側のフィルム端縁は互いに密閉して閉鎖状態となり、蒸気抜き孔２２部分から内容物が漏れ難く、内容物の逆止効果を奏する構造の蒸気抜き包装袋である。
【０１９４】
前記剥離性テープ材６７としては、例えば、図１４に示すように、包装袋内面のシーラント層に対して接着性を示す接着性樹脂層７３と包装袋を加熱して発生する蒸気の蒸気圧により易剥離性を示す剥離性樹脂層７４との２層からなるテープ材等を挙げることができる。
【０１９５】
上記の包装袋内面のシーラント層に対して接着性を示す接着性樹脂層７３としては、既に上述した積層フィルム１、２の内面シーラント層を構成する熱融着可能な接着性熱可塑
性樹脂をそのまま使用することができるが、ＣＰＰと称されるプロピレン系重合体（コポリマーやターポオリマー）や、ＬＬＤＰＥまたはＬＬＤと称される直鎖状低密度ポリエチレンからなる層が好適に用いられる。そしてその厚みは、２０〜１５０μｍとすることが多い
また、蒸気抜き包装袋５０、８０を構成する積層フィルム６１、６２は、少なくとも基材フィルム層とシーラント層を積層して構成されている。
【０１９６】
基材フィルム層としては、蒸気抜き包装袋の基材となる層であり、シート状またはフィルム状のものであって、ポリオレフィン（ポリエチレン、ポリプロピレン等）、ポリエステル（ポリエチレンテレフタレート、ポリブチレンテレフタレート、ポリエチレンナフタレート等）、ポリアミド（ナイロン−６、ナイロン−６６、ポリイミド等）、あるいはこれらの高分子の共重合体など、通常包装材料として用いられる比較的耐熱性を有するプラスチックフィルムもしくはシートが使用できる。
【０１９７】
また、必要に応じて基材フィルム層の表面または裏面に印刷層（図示せず）を形成することができる。
【０１９８】
印刷層は一般的なプラスチックフィルム袋への印刷の場合と同様に、インキの耐摩擦性、耐侯性などを考慮して、基材フィルム層の内面に商品の販売促進効果を向上させるなどの理由で綺麗な絵柄の印刷層を設けることが好ましい。
【０１９９】
また、ヒートシール層６３、６４は該包装袋などを形成する際に接着層として設けられるものである。そして、熱融着性のある樹脂であれば使用できるが、例えば、ポリエチレン、ポリプロピレン、エチレン−酢酸ビニル共重合体、エチレン−メタクリル酸共重合体、エチレン−メタクリル酸エステル共重合体、エチレン−アクリル酸共重合体、エチレン−アクリル酸エステル共重合体及びそれらの金属架橋物等の樹脂が用いられる。また、食品包装におけるレトルト殺菌適性等を考慮すると、ポリプロピレン樹脂がより好ましく使用できる。
【０２００】
そして、厚さは目的に応じて決められるが、一般的には１５〜２００μｍの範囲である。また、形成方法としては、上記樹脂からなるフィルム状のものを２液硬化型ウレタン樹脂などの接着剤を用いて貼り合わせるドライラミネート法等を用いることが一般的であるがいずれも公知の方法により積層することができる。
【０２０１】
また、該包装袋の落下強度、突き刺し強度や、ガスバリア性を向上させる必要がある場合には、基材フィルム層とシーラント層との間に中間層を介在させることができる。
【０２０２】
さらに、蒸気抜き包装袋にガスバリア性が要求される場合には、例えば、図１３示すようなガスバリア積層フィルムを用いることができる。そして、図１３に示す積層フルム６１（６２）の９５がガスバリア積層フィルム層である。前記ガスバリア積層フィルム９５における基材９１はプラスチック材料からなるフィルムである。
【０２０３】
そして、その上に３官能オルガノシラン及びアクリルポリオール、イソシアネート化合物等の複合物よりなるプライマー層９２、厚さ５〜３００ｎｍの無機酸化物からなる蒸着薄膜層９３、ガスバリア性被膜層９４が順次積層されている。
【産業上の利用可能性】
【０２０４】
本発明の蒸気抜き包装袋用外装箱に収納されている蒸気抜き包装袋の収納物を加熱調理する際に、蒸気抜き包装袋を蒸気抜き包装袋用外装箱に収納したまま加熱調理できる。そして、収納物が電子レンジ内に飛散することのない蒸気抜き包装袋用外装箱として優れて
いることはもとより、医療・医薬分野等にも使用できる素晴らしい発明である。
【図面の簡単な説明】
【０２０５】
【図１】蒸気抜き包装袋が収納されている本発明の蒸気抜き包装袋用外装箱の外形の一実施例を説明するための斜視図である。
【図２】図１の蒸気抜き包装袋用外装箱を電子レンジ加熱調理する際の説明をするための説明図である。
【図３】図１の蒸気抜き包装袋用外装箱を電子レンジ加熱調理の状態を説明するための説明図である。
【図４】図１の蒸気抜き包装袋用外装箱を展開したブランク板の平面図である。
【図５】蒸気抜き包装袋が収納されている本発明の蒸気抜き包装袋用外装箱の外形の他の一実施例を説明するための斜視図である。
【図６】図５の蒸気抜き包装袋用外装箱を電子レンジ加熱調理する際の説明をするための説明図である。
【図７】図５の蒸気抜き包装袋用外装箱を電子レンジ加熱調理の状態を説明するための説明図である。
【図８】図５の蒸気抜き包装袋用外装箱を展開したブランク板の平面図である。
【図９】（ａ）は本発明の蒸気抜き包装袋用外装箱に収納されている蒸気抜き包装袋の一例を示す平面図である。また（ｂ）は（ａ）のＡ−Ａ´線断面を示す断面図である
【図１０】図５（ｂ）のＢ部を拡大した拡大図である。
【図１１】本発明の蒸気抜き包装袋用外装箱に収納されている蒸気抜き包装袋に内容物が充填されて電子レンジ加熱する際の状態を説明するための説明図である。
【図１２】本発明の蒸気抜き包装袋用外装箱に収納されている蒸気抜き包装袋の側面の断面を示す説明図である。
【図１３】蒸気抜き包装袋に用いられる材料構成を説明するための説明図である。
【図１４】蒸気抜き包装袋に用いられる材料構成を説明するための説明図である。
【図１５】従来の電子レンジ加熱用包装袋および包装箱並びに加熱方法を説明するための概略図である。
【図１６】従来の電子レンジ加熱用包装箱および加熱方法等を説明するための概略図である。
【図１７】従来の電子レンジ加熱用包装箱および加熱方法等を説明するための概略図である。
【図１８】従来の電子レンジ加熱用包装箱および加熱方法等を説明するための概略図である。
【符号の説明】
【０２０６】
１…正面板
２…底面板
３…左側面板
４…右側面板
５…上側正面板
６…下側正面板
８…摘み部
１０…ブランク板
１１…罫線
１２…罫線
１３…罫線
１４…罫線
１５…罫線
１６…罫線
１７…罫線
１８…罫線
１９…罫線
２０…切れ目線
２１…切れ目線
２１´…切れ目線
２２…切れ目線
２３…切れ目線
２４…切れ目線
２５…切れ目線
２６…切れ目線
２７…罫線
２８…罫線
２９…罫線
３０…切り裂き部
３１…切り裂き部
３２…罫線
３３…罫線
３４…上側左面板
３５…下側左面板
３６…上側右面板
３７…上側右面板
３８…上側底面板
３９…下側底面板
４０…開口部
４１…開口部
４２…接着面板
４３…罫線
４４…罫線
４６…罫線
４７…罫線
４８…罫線
５０…蒸気抜き包装袋
６０…蒸気抜き包装袋用外装箱
７０…ブランク板
８０…蒸気抜き包装袋
９０…蒸気抜き包装袋用外装箱
【図１】
2008030766.tif 000003
【図２】
2008030766.tif 000004
【図３】
2008030766.tif 000005
【図４】
2008030766.tif 000006
【図５】
2008030766.tif 000007
【図６】
2008030766.tif 000008
【図７】
2008030766.tif 000009
【図８】
2008030766.tif 000010
【図９】
2008030766.tif 000011
【図１０】
2008030766.tif 000012
【図１１】
2008030766.tif 000013
【図１２】
2008030766.tif 000014
【図１３】
2008030766.tif 000015
【図１４】
2008030766.tif 000016
【図１５】
2008030766.tif 000017
【図１６】
2008030766.tif 000018
【図１７】
2008030766.tif 000019
【図１８】
2008030766.tif 000020